(57)【要約】【目的】  本発明は、ドライフォグ発生装置に関するものである。【構成】  次亜塩素酸系溶液を可とする薬液を混入した水タンク(1)からポンプ(2)によって高圧水溶液を給水管(3)を通じて先端のノズル(4)に給送し、当該先端のノズルから噴霧化室(5)の内部の上方に向かって噴射させ、その噴射ノズルの前方に配置した細目のメッシュ板(6)を透過により濾過して霧状化すると共に、霧状化しない液体は水滴として落下して排水口(9)から排水し、且つ霧状化した霧状体を、噴霧化室に設けた空気取入口(7)から取り入れた外気の圧力によって噴出口方向に送って吹出口(8)から湿気が９０％超程度除去した乾燥霧体を放出するようにした構成。【選択図】      図  ２
2007162997.tif 000002
【特許請求の範囲】
【請求項１】
薬液を混入した水タンク(1)からポンプ(2)によって高圧水溶液を給水管(3)を通じて先端のノズル(4)に給送し、当該先端のノズルから噴霧化室(5)の内部の上方に向かって噴射させ、そのノズルの前方に配置した細目のメッシュ板(6)を透過することにより濾過して霧状化にすると共に、霧状化しない液体は水滴として排水口(9)から排水し、且つ霧状化した霧状体を噴霧化室(5)に設けた空気取入口(7)から取り入れた外気の圧力によって横方向に送って吹出口(8)から湿気を殆ど除去した乾燥霧体を放出することを特徴とするドライフォグ発生装置。
【請求項２】
次亜塩素酸系溶液を可とする薬液を混入した水タンク(1)からポンプ(2)によって高圧水溶液を給水管(3)を通じて箱形の噴霧化室(5)に配置した先端の噴射ノズル(4)に給送し、当該噴射ノズルの直上に細目のメッシュ板(6)を配置し、そのメッシュ板を透過することにより濾過しながら噴霧化室(5)の垂直上方の天井(5′)に向かって噴射し、その天井(5′)に衝突又は接触させて反射した超微粒の霧状体を噴霧化室(5)に設けた空気取入口(7)から取り入れた外気の圧力によって横方向の排気口に向けて送り、霧状体にならない液体は水滴として落下して排水口(9)から排水し、前記の天井(5′)より前方に配置した細目のメッシュ板(6′)を透過させて湿気を９０超程度除去した乾燥霧体を、吹出口(8)から放出したことを特徴とするドライフォグ発生装置。
【請求項３】
次亜塩素酸系溶液を可とする薬液を混入した水タンク(1)からポンプ(2)によって高圧水溶液を給水管(3)を通じてパイプ(5")の内部に配置した先端の噴射ノズル(4)に給送し、当該噴射ノズルからパイプ(5")の立ち上がり部の上方のエルボ(51")部位に向かって噴射し、そのエルボ(51")の内壁部位に接触させながらパイプ(5")に設けた空気取入口(7)から取り入れた外気の圧力によって排気方向に送り、当該噴射ノズルより前方に配置した細目のメッシュ板(6)・(6′)を透過させて超微粒の霧状化にすると共に、霧状化しない液体は水滴として落下して排水口(9)から排水し、且つ霧状化した霧状体を、吹出口(8)から水分を９０超程度除去した乾燥霧体を放出したことを特徴とするドライフォグ発生装置。
【請求項４】
台車(A)に次亜塩素酸系溶液を可とする薬液を混入した水タンク(1)とポンプ(2)と霧状体の吹き出しパイプ(4)を搭載し、当該水タンク(1)からポンプ(2)によって高圧水溶液を給水管(3)を通じて蛇腹パイプ形ダクト(5")の内部に配置したノズル(4)に給送し、当該ノズルからパイプ(5")
の立ち上がり部の上方のエルボ(51")部位に向かって噴射し、そのエルボ(51") に衝突させながらパイプ形ダクト(5)に設けた空気取入口(7)から取り入れた外気の圧力によって排出方向に送り、当該噴射ノズルの前方に配置した細目のメッシュ板(6)・(6′)を透過させて超微粒の霧状化にすると共に、霧状化しない液体は水滴として落下して排水口(9)から排水し、且つ霧状化した霧状体を、吹出口(8)から湿気を９０超程度除去した乾燥霧体を放出したことを特徴とするドライフォグ発生装置。
【発明の詳細な説明】
【技術分野】
【０００１】
本発明はドライフォグ（乾燥霧）発生装置に関するもので、病院の待合室や病室、老人ホーム、研究所の研究室、業務用厨房等に適し、次亜塩素酸系溶液のように人体に悪影響のない薬液を霧状化して大気中に放出して空間における浮遊菌を殺菌ないし除菌すると共に、ミスト（霧）発生に伴う湿度上昇を抑制する湿度調整も行えることより、衛生環境を改善することを目的とする。
【背景技術】
【０００２】
一般にこの種の霧発生装置は、数多く出願開示されている。
【特許文献１】特開２００２−３６４８９０号公開公報
【特許文献２】特開２００３−１１７４５６号公開公報
【０００３】
特許文献１には、ミストの発生装置において、霧を送出する送出室と、液体タンクを設置し送出室に給液可能に連通する貯液部と、液面を検知する液位検知センサを収容するセンサ室とで、給液容器部を一体的に形成し、送出室に霧を渦流状に形成して放出する露出筒を着脱可能に立設したことにより、給液容器部の小型化と製作を簡単に行うと共に、霧の送出を的確に行うことができる。
【０００４】
特許文献２には、超音波による霧発生装置に関し、たとえば、超音波発振器の振動子により、水、薬液等の液体から微細な霧を発生させることにより、付着による電気機器等への悪影響を防止できるとともに、細菌等の微生物による汚染防止して衛生的な霧を発生することができる。
【発明の開示】
【発明が解決しようとする課題】
【０００５】
ところが、上記の特許文献1及び特許文献２の発明とも、いずれも超音波による霧発生装置に関するものであるから、家庭用等比較的限られたスペースでの使用には適するが、霧発生の量を大量に必要とする病院や老人ホーム等には適さない。もし、大量の霧を発生させるには、長音波による霧発生装置を相当に大型にしなければならずコスト高になってしまうという課題があった。
【課題を解決するための手段】
【０００６】
そこで本発明は、従来の課題を解決し、且つ発明の目的を達成するようにした。
【０００７】
本発明の第１は、ドライフォグ発生装置において、薬液を混入した水タンクからポンプによって高圧水溶液を給水管を通じて先端のノズルに給送し、当該先端のノズルから噴霧化室の内部の上方に向かって噴射させ、そのノズルの前方に配置した細目のメッシュ板を透過することにより濾過して超微粒の霧状化にすると共に、霧状化しない液体は水滴となって排水口から排水し、且つ霧状化した霧状体を噴霧化室に設けた空気取入口から取り入れた外気の圧力によって横方向に送って吹出口から湿気を殆ど除去した乾燥霧体を放出するようにしたものである。
【０００８】
本発明の第２は、ドライフォグ発生装置において、次亜塩素酸系溶液を可とする薬液を混入した水タンクからポンプによって高圧水溶液を給水管を通じて箱形の噴霧化室に配置した先端の噴射ノズルに給送し、当該噴射ノズルの直上に細目のメッシュ板を配置し、そのメッシュ板を透過することにより濾過しながら噴霧化室の垂直上方の天井に向かって噴射し、その天井に衝突又は接触させて反射した超微粒の霧状体を噴霧化室に設けた空気取入口から取り入れた外気の圧力によって横方向の吹出口に向けて送り、霧状体にならない液体は水滴となって落下して排水口から排水し、前記の天井より前方に配置し細目のメッシュ板を透過させて湿気を９０超程度除去した乾燥霧体を吹出口から放出したことを特徴とするドライフォグ発生装置。
【０００９】
本発明の第３は、ドライフォグ発生装置において、次亜塩素酸系溶液を可とする薬液を混入した水タンクからポンプによって高圧水溶液を給水管を通じてパイプの内部に配置した先端の噴射ノズルに給送し、当該噴射ノズルからパイプの立ち上がり部の上方のエルボ部位に向かって噴射し、そのエルボの内壁部位に衝突させながらパイプに設けた空気取入口から取り入れた外気の圧力によって吹出口方向に送り、当該噴射ノズルより前方に配置した細目のメッシュ板を透過させて超微粒の霧状化にすると共に、霧状化しない液体は水滴となって落下し排水口から排水し、且つ霧状化した霧状体を、吹出口から湿気を９０超程度除去した乾燥霧体を放出するようにしたものである。
【００１０】
本発明の第４は、ドライフォグ発生装置において、台車に次亜塩素酸系溶液を可とする薬液を混入した水タンクとポンプと霧状体の吹き出しパイプを搭載し、当該水タンクからポンプによって高圧水溶液を給水管を通じて蛇腹パイプ形ダクトの内部に配置したノズルに給送し、当該ノズルからパイプの立ち上がり部の上方のエルボ部位に向かって噴射し、そのエルボに衝突させながらパイプ形ダクトに設けた空気取入口から取り入れた外気の圧力によって排出方向に送り、当該噴射ノズルの前方に配置した細目のメッシュ板を透過させて超微粒の霧状化すると共に、霧状化しない液体は水滴として落下して排水口から排水し、且つ霧状化した霧状体を、吹出口から湿気を９０％超程度除去した乾燥霧体を放出するようにしたものである。
【発明の効果】
【００１１】
本発明は上記の構成であるから、次の効果がある。すなわち、噴射ノズルから噴射した薬液を含む液体は細目のメッシュ板を透過して濾過することにより超微粒の霧状体となり、さらに天井その他の障害壁に接触して反射した後、横方向に移動して吹出口から外方に霧体が放出される。この霧体は湿気を９５％程度除去された乾燥霧体となっている。
これによって、外部に放出された乾燥した霧体を手のひらで掴んで擦るとパサパサないしサラサラとした乾燥感が生じる。したがって、霧を発生した状態であっても、湿度の上昇は抑制され、通常の霧特有のじとじとした湿気感が一切除去される。
そして空間に放出されたドライフォグにより、浮遊菌を殺菌ないし除菌することにより、病院に設置した場合には、院内感染などの原因を未然に防ぐことができる。
さらに、ドライフォグ発生に際して、水滴などは一滴たりとも外部に漏れることがないので不潔感や不快感等がなくなる。
【発明を実施するための最良の形態】
【００１２】
本発明に係るドライフォグ発生装置の最良の形態は次の通りである。
水タンクに次亜塩素酸系溶液を可とする薬液を混入し、その水タンクの薬液入り水溶液をポンプの駆動によって給水管を通じて箱型の噴霧化室内に配置した給水管先端に設けたノズルに給送し、当該先端のノズルの直上に配置した細目のメッシュ板を透過させて濾過すると共に、垂直上方の天井に向かって噴射し、その天井に衝突ないし接触して反射しながら噴霧化室の背面に設けた空気取入口から外気を取り入れると共に、その外気の圧力によって噴霧化室内の霧状体を水平方向の吹出口に向けて送り、霧状化にならない液体は水滴として落下してノズル近傍の排水口から排水し、当該天井部位より水平方向の前方にも配置した細目のメッシュ板を透過させて濾過することにより、湿気の９０％から９５％程度を除去した乾燥霧体を吹出口から放出する。
【実施例１】
【００１３】
本発明の実施例１を図面を以って説明する。図１及図２において、１は次亜塩素酸系溶液を可とする薬液の入った水タンク、２はその水タンクの薬液入り高圧水溶液を給送するためのポンプ、３は高圧水溶液の給水パイプである。４は給水パイプ３の先端に設けた噴射ノズル、５は箱型の噴霧化室、６は噴霧化室５内において、噴射ノズル４の直上に配置した細目のメッシュ板、７は噴霧化室５の背面部に設けた空気（噴霧化室外の大気）の取入口、８は噴霧化室５のメッシュ板６を通過させて乾燥化した霧体を外部に放出するための吹出口であり、噴射ノズルの垂直方向に対して略水平の横方向に設けてある。９は噴射ノズル４から噴射した液体が霧状化しない液体が水滴なって排出する排水口であり、噴霧化室の底部に設けてある。
【００１４】
図１において、噴霧化室５の空気取入口７は必要に応じてさらにファンＦの付いた空気取入口７′を設ける。
図２にあっては、箱型の噴霧化室５を左右に２基配置し、給水パイプ３に左右に分岐パイプ３′を接続し、各分岐パイプの先端に噴射ノズル４を設けて噴霧化室の内底部近傍に設置したものを示す。
また、細目のメッシュ板６は、噴射ノズル４の直上に液体を濾過して霧状化及び湿気除去するために設けるほか、噴霧化室５の天井５′に衝突又は接触して反射した霧状体が放出する方向の通路５"にもさらに湿気除去するためのメッシュ板６′として配置してある。
【実施例２】
【００１５】
次に、本発明の実施例２について説明する。図３及び図４において、液体給水パイプ３から分岐して接続した分岐パイプ３′を当該分岐パイプより太径の覆蔽パイプ３"に挿入し、その先端部に噴射ノズル４を上向きに設けてある。また、覆蔽パイプの途中に空気取入口７が設けられている。この場合、上記実施例１における箱型噴霧化室５が設けられていないが、給水パイプ３"の立ち上がり基部からパイプ先端の吹出口８の近傍までの部位が噴霧化室に相当する。
【実施例３】
【００１６】
続いて本発明の実施例３について説明する。図５〜８において、台車Ａに箱型の密閉式の筐体Ｃを搭載し、その内部に水タンク１及び高圧水溶液の供給ポンプ２を設置し、上記筐体の平面部位に蛇腹形の吹出パイプ５"を起立させて設置し、上記ポンプ２に基端を接続してある給水パイプ３の先端に噴射ノズル４を設けて吹出パイプ５"の基部内に配置してある。そして、給水パイプ３が挿通する筐体Ｃに空気取入口７が設けられている。
この場合、実施例１の箱型噴霧化室５が設けられていないが、吹出パイプ５"の立ち上がり基部から吹出パイプ先端の吹出口８の近傍までの部位が噴霧化室に相当する。
また、前記の空気取入口７を大きく形成し、その取入口に調整窓穴１０1付きの回転蓋体１０を取付けてある。
【００１７】
「具体的な使用例（その１）図１、図２」
（１）  水タンク１からポンプ２によって給水される薬液入りの高圧水溶液は、給水パイプ３及び分岐パイプ３′に供給される。
（２）  分岐パイプ３′の先端に設けた噴射ノズル４から上方に向かって噴射された高圧水溶液は、その直上に配置されている細目の噴霧化用メッシュ板６を透過することによって濾過する。
（３）  上記のメッシュ板６を透過して濾過した高圧水溶液の大部分は、超微粒露の霧状体となって噴霧化室内に充満した状態になるが、まだ勢いがある液体は天井５′に衝突して反射して水滴のまま噴霧化室５の底部排水口９から外部に排水される。
（４）  噴霧化室５内の霧状体は、噴霧化室背面の空気取入口７から外気を取り入れると共に、その圧力によって吹出口８の方向に移動させる。
（５）  前記噴霧化室内の霧状体を横方向の吹出口近くにも配置した細目のメッシュ板６′を透過することによって、湿気を９０％から９５％程度除去された乾燥霧体となって吹出口８から外部に放出される。
【００１８】
「具体的な使用例（その２）図３、図４」
（１）  水タンク１からポンプ２によって給送される薬液入りの高圧水溶液は、給水パイプ３を通じて分岐パイプ３′に給送される。
（２）  分岐パイプ３′の先端に設けた噴射ノズル４から覆蔽パイプ３"の上方に向かって噴射された高圧水溶液は、その直上に配置されている細目のメッシュ板６を透過する。
（３）  上記のメッシュ板６を透過した高圧水溶液の大部分は霧状体となって湿気が除去され、噴射ノズル４と吹出口８との間に充満した状態になるが、まだ勢いがある液体は起立した覆蔽パイプにエルボ部位５1"に衝突して反射しながら細目のメッシュ板６′を透過して吹出口９の方向に送られる。一方、エルボ部位５1"に衝突して反射して霧状化しない液体は、水滴のまま落下して覆蔽パイプ３"の排水口９から外部に排水される。
（４）  覆蔽パイプ３"の上部内部に充満する霧状体は、当該覆蔽パイプの途中に設けた空気取入口７から外気を取り入れると共に、その圧力によって吹出口８の方向に移動させる。
（５）  前記噴霧化室内の霧状体を横方向の吹出口８の近くにも配置したメッシュ板６′を透過して濾過することによって、湿気を９０％から９５％程度除去した乾燥霧体となって覆蔽パイプ３"の吹出口８から外部に放出される。
【００１９】
「具体的な使用例（その３）図５〜図８」
（１）  台車Ａに搭載した水タンク１からポンプ２によって給送される薬液入りの高圧水溶液は、給水パイプ３によってその先端の噴射ノズル４に給送される。
（２）  上記の噴射ノズル４から放出パイプ５"の上方に向かって噴射された高圧水溶液は、その直上に配置されている細目のメッシュ板６を透過して濾過される。
（３）  上記のメッシュ板６を透過した高圧水溶液の大部分は湿気が除去されて霧状体になり、噴射ノズル４と吹出口８との間に充満した状態になるが、まだ勢いがある液体は起立した排気パイプ５"のエルボ部位５1"に衝突して反射し、水滴のまま落下して覆蔽パイプ３"の排水口９から外部に排水される。
（４）  吹出パイプ５"の上部内部に充満する霧状体は、当該吹出パイプの途中に設けた空気取入口７から外気を取り入れると共に、その圧力によって吹出口８の方向に移動させる。
（５）  前記吹出パイプ５"内の霧状体を横方向の吹出口７の近くにも配置した細目のメッシュ板６′を透過することによって、湿気の９０％から９５％程度除去された乾燥霧体が覆蔽パイプ３"の吹出口８から外部に放出される。
【図面の簡単な説明】
【００２０】
【図１】本願発明の第１実施例を示す正面図である。
【図２】図１の２―２線に沿う断面図である。
【図３】本願発明の第２実施例を示す側面図である。
【図４】図３の平面図である。
【図５】本願発明の第３実施例を示す正面図である。
【図６】図５の平面図である。
【図７】図５の側面図である。
【図８】噴射ノズル部の拡大断面図である。
【符号の説明】
【００２１】
１……水タンク
２……ポンプ
３……給水パイプ
４……噴射ノズル
５……噴霧化室
６……メッシュ板
７……空気取入口
８……乾燥霧体の吹出口
９……排水口
１０……回転蓋体
【図１】
2007162997.tif 000003
【図２】
2007162997.tif 000004
【図３】
2007162997.tif 000005
【図４】
2007162997.tif 000006
【図５】
2007162997.tif 000007
【図６】
2007162997.tif 000008
【図７】
2007162997.tif 000009
【図８】
2007162997.tif 000010
【手続補正書】
【提出日】平成17年12月13日(2005.12.13)
【手続補正１】
【補正対象書類名】図面
【補正対象項目名】図５
【補正方法】変更
【補正の内容】
【図５】
2007162997.tif 000011
【手続補正２】
【補正対象書類名】図面
【補正対象項目名】図６
【補正方法】変更
【補正の内容】
【図６】
2007162997.tif 000012
【手続補正３】
【補正対象書類名】図面
【補正対象項目名】図７
【補正方法】変更
【補正の内容】
【図７】
2007162997.tif 000013
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
薬液を混入した水タンク(1)からポンプ(2)によって水溶液だけを給水管(3)を通じてその先端の１流体ノズル(4)に高圧給送し、当該１流体ノズルから噴霧化室(5)の内部上方の天井(5′)に向かって高圧噴射させ、その１流体ノズルの直上に配置した細目のメッシュ板(6)を衝突させながら透過することにより濾過して超微粒に霧状化にすると共に、天井(5′)に衝突又は接触させて反射した際、霧状化しない水滴は再度直下の細目のメッシュ板(6)を透過させてから排水口(9)から排水し、且つ霧状化した霧状体を噴霧化室(5)に設けた空気取入口(7)又はファン(7′)から取り入れた外気の圧力によって横方向に送って吹出口(8)から湿気を９０％超除去した乾燥霧体を放出することを特徴とするドライフォグ発生装置。
【請求項２】
次亜塩素酸系溶液を可とする薬液を混入した水タンク(1)からポンプ(2)によって水溶液だけを給水管(3)を通じてその先端の１流体ノズル(4)に高圧給送し、当該ノズルから噴霧化室(5)の内部上方の天井(5′)に向かって高圧噴射させ、その１流体ノズルの直上に配置した細目のメッシュ板(6)を衝突させながら透過することにより濾過して超微粒に霧状化にすると共に、天井(5′)に衝突又は接触させて反射した際、霧状化しない水滴は再度直下の細目のメッシュ板(6)を透過させてから排水口(9)から排水し、且つ霧状化した霧状体を噴霧化室(5)に設けた空気取入口(7)又はファン(7′)から取り入れた外気の圧力によって横方向に送ると共に、前記噴霧化室(5)と吹出口(8)とを連通する通路(5")の途中に配置した細目のメッシュ板(6′)を透過させて吹出口(8)から湿気を９０％から９５％程度除去した乾燥霧体を放出することを特徴とするドライフォグ発生装置。
【請求項３】
次亜塩素酸系溶液を可とする薬液を混入した水タンク(1)からポンプ(2)によって高圧水溶液を給水管(3)を通じてパイプ(5")の内部に配置した先端の噴射ノズル(4)に高圧給送し、当該噴射ノズルからパイプ(5")の立ち上がり部における上方のエルボ天井(51")部位に向かって高圧噴射し、そのエルボ天井(51")部位に衝突又は接触させながらパイプ(5")に設けた空気取入口(7)から取り入れた外気の圧力によって吹出口方向に送り、当該噴射ノズルより前方に配置した細目のメッシュ板(6)・(6′)を透過させて超微粒の霧状化にすると共に、霧状化しない液体は再度直下のメッシュ板(6′)を透過落下させて排水口(9)から排水し、且つ霧状化した霧状体を、吹出口(8)から水分を９０％から９５％程度除去した乾燥霧体を放出したことを特徴とするドライフォグ発生装置。
【請求項４】
台車(A)に次亜塩素酸系溶液を可とする薬液を混入した水タンク(1)とポンプ(2)と霧状体の吹き出しパイプ(4)を搭載し、当該水タンク(1)からポンプ(2)によって水溶液を給水管(3)を通じて蛇腹パイプ形ダクト(5")の内部に配置したノズル(4)に高圧給送し、当該ノズルからパイプ(5")の立ち上がり部における上方のエルボの天井(51")部位に向かって噴射し、そのエルボ天井(51")に衝突させながらパイプ形ダクト(5)に設けた空気取入口(7)から取り入れた外気の圧力によって吹出口方向に送り、当該噴射ノズルの上方に配置した細目のメッシュ板(6)・(6′)を透過させて超微粒の霧状化にすると共に、霧状化しない液体は直下の細目のメッシュ板(6)を透過落下させながら排水口(9)から排水し、且つ霧状化した霧状体を、吹出口(8)から湿気を９０％から９５％程度除去した乾燥霧体を放出したことを特徴とするドライフォグ発生装置。
【手続補正２】
【補正対象書類名】明細書
【補正対象項目名】０００５
【補正方法】変更
【補正の内容】
【０００５】
ところが、上記の特許文献1及び特許文献２の発明とも、いずれも超音波による霧発生装置に関するものであるから、家庭用等比較的限られたスペースでの使用には適するが、霧発生の量を大量に必要とする病院や老人ホーム等には適さない。もし、大量の霧を発生させるには、超音波による霧発生装置を相当に大型にしなければならずコスト高になってしまうという課題があった。
【手続補正３】
【補正対象書類名】明細書
【補正対象項目名】０００７
【補正方法】変更
【補正の内容】
【０００７】
本発明の第１は、ドライフォグ発生装置において、薬液を混入した水タンクからポンプによって水溶液だけを給水管を通じてその先端の１流体ノズルに高圧給送し、当該１流体ノズルから噴霧化室の内部上方の天井に向かって高圧噴射させ、そのノズルの直上に配置した細目のメッシュ板を衝突させながら透過することにより濾過して超微粒に霧状化にすると共に、天井に衝突又は接触させて反射した際、霧状化しない水滴は再度直下の細目のメッシュ板を透過させてから排水口から排水し、且つ霧状化した霧状体を噴霧化室に設けた空気取入口又はファンから取り入れた外気の圧力によって横方向に
【手続補正４】
【補正対象書類名】明細書
【補正対象項目名】０００８
【補正方法】変更
【補正の内容】
【０００８】
本発明の第２は、ドライフォグ発生装置において、次亜塩素酸系溶液を可とする薬液を混入した水タンクからポンプによって水溶液だけを給水管を通じてその先端の一流体ノズルに高圧給送し、当該ノズルから噴霧化室の内部上方の天井に向かって高圧噴射させ、そのノズルの直上に配置した細目のメッシュ板を衝突させながら透過することにより濾過して超微粒に霧状化にすると共に、天井に衝突又は接触させて反射した際、霧状化しない水滴は再度直下の細目のメッシュ板を透過させてから排水口から排水し、且つ霧状化した霧状体を噴霧化室に設けた空気取入口又はファンから取り入れた外気の圧力によって横方向に送ると共に、前記噴霧化室と吹出口とを連通する通路の途中に配置した細目のメッシュ板を透過させて吹出口から湿気を９０％から９５％程度除去した乾燥霧体を放出するようにしたものである。
【手続補正５】
【補正対象書類名】明細書
【補正対象項目名】０００９
【補正方法】変更
【補正の内容】
【０００９】
本発明の第３は、ドライフォグ発生装置において、次亜塩素酸系溶液を可とする薬液を混入した水タンクからポンプによって水溶液を給水管を通じてパイプの内部に配置した先端の１流体ノズルに高圧給送し、当該１流体ノズルからパイプの立ち上がり部の上方のエルボ天井部位に向かって高圧噴射し、そのエルボの天井部位に接触させながらパイプに設けた空気取入口から取り入れた外気の圧力によって吹出口方向に送り、当該１流体ノズルより上方に配置した細目のメッシュ板を透過させて超微粒の霧状化にすると共に、霧状化しない液体は再度直下のメッシュ板を透過落下して排水口から排水し、且つ霧状化した霧状体を、吹出口から水分を９０％から９５％程度除去した乾燥霧体を放出したものである。
【手続補正６】
【補正対象書類名】明細書
【補正対象項目名】００１０
【補正方法】変更
【補正の内容】
【００１０】
本発明の第４は、ドライフォグ発生装置において、台車に次亜塩素酸系溶液を可とする薬液を混入した水タンクとポンプと霧状体の吹き出しパイプを搭載し、当該水タンクからポンプによって高圧水溶液を給水管を通じて蛇腹パイプ形ダクトの内部に配置した１流体ノズルに高圧給送し、当該ノズルからパイプの立ち上がり部の上方のエルボ天井部位に向かって高圧噴射し、そのエルボの天井に衝突させながらパイプ形ダクトに設けた空気取入口から取り入れた外気の圧力によって吹出口方向に送り、当該１流体ノズルの前方に配置した細目のメッシュ板を透過させて超微粒の霧状化にすると共に、霧状化しない液体は直下の細目メッシュ板を透過しながら排水口から排水し、且つ霧状化した霧状体を、吹出口から湿気を９０％から９５％程度除去した乾燥霧体を放出したものである。